(57)【要約】【課題】  使い捨て買い物袋等をごみ入れとして簡単に使うための、袋保持具を提供する。【解決手段】  平板でできた袋保持具の中央の長方形開口部に袋を通し、外周にある少なくとも４カ所の細い切れ込みに挟んで固定することを特徴とする袋保持具であり、ごみ袋として使用する袋を、下部切れ込みつきの小穴または閉じ具にはめ込んで仮閉じすることもできる。【選択図】  図１
2008001491.tif 000002
【特許請求の範囲】
【請求項１】
スーパーなどでの買い物を入れる袋等をごみ入れなどに利用するための保持具において、円形の平板で、長方形の開口部と、外周の少なくとも４カ所に深さ約１５ｍｍで幅約１〜１．５ｍｍの切れ込みと、下部に袋を仮閉じするための切れ込みつきの小穴または閉じ具と、上部中央につり下げ用の穴またはつり具を具備することを特徴とする袋保持具。
【発明の詳細な説明】
【技術分野】
【０００１】
本発明は、スーパーなどで商品を入れるための買い物袋やポリエチレン製の袋（以下総称して「ポリ袋」と記す）などを、ごみ入れとして使うための袋保持具に関するものである。
【背景技術】
【０００２】
従来使い捨てられている「ポリ袋」は、ごみ箱などの内袋として利用したり、直接フックに吊るしてごみ入れとして使われるのが一般的であった。
【０００３】
一方「ポリ袋」を使用するための袋保持具に関しては特許や実用新案が数多く出願されているが、その代表的なものとして以下の文献が知られている。
【特許文献１】特開２００５ー２１２８２８号公報
【特許文献２】特開２００３ー３２１０１７号公報
【特許文献３】特許第１８３７１０２号公報
【発明の開示】
【発明が解決しようとする課題】
【０００４】
「ポリ袋」は直接フックに吊してごみ入れとして利用しようとすると、フックに吊しただけではごみを投入するための開口部の確保が難しく、ごみを入れにくかった。
【０００５】
また、特許文献１及び特許文献２の袋保持具は、ともに開口部は広がったが「ポリ袋」の種類により開口内周が違うので袋にたるみができて、ごみを入れ難かった。特許文献３の生ごみ用のリング式袋保持具は、一般の「ポリ袋」を使用することはできなかった。
本発明は上記の問題点を解決し、使い捨てられている「ポリ袋」などの袋類を、手軽にごみ入れとして使用するための袋保持具を開発することを課題とした。
【課題を解決するための手段】
【０００６】
上記課題を解決するために本発明の袋保持具は、円形の平板で、長方形の開口部と、外周の少なくとも４カ所に深さ約１５ｍｍで幅約１〜１．５ｍｍの切れ込みと、下部に袋を仮閉じするための切れ込みつきの小穴または閉じ具と、上部中央につり下げ用の穴またはつり具を具備することを特徴とする。
【発明の効果】
【０００７】
本発明の袋保持具は、軽量簡単な構造で使いやすく、一般ごみにも生ごみにも対応できるうえ、使い捨ての買い物袋や市販されているポリ袋など多くの種類の袋に対応できる。また袋保持具本体を吊して使用するため、開口部は斜めにはなるが十分な開口部が確保できごみが入れやすく場所をとらないので、台所だけでなく、室内でも狭い車内でも、机下でも楽に使用できる。さらに袋保持具の本体下部の切れ込みつき小穴または閉じ具で袋をはさむことにより、ごみ袋を仮閉じすることができるので生ごみなどの臭いがもれることも少ない。
【発明を実施するための最良の形態】
【０００８】
以下、本発明の実施の形態を数例の実施例をもとに、図面を参照しつつ詳細に説明する。
実施例に先立ち、本発明の袋保持具のサイズを検討した。スーパーなどの買い物を入れる「ポリ袋」の横幅は、１００ｍｍから４７０ｍｍが多く使われているが、大型の商品やごみ袋のような大型の袋も市販されている。家庭に多く持ち帰られる「ポリ袋」の中で、台所の生ごみを入れるごみ袋として使いやすいのは横幅が約２００ｍｍであったので、第一段階はこのサイズの「ポリ袋」用の保持具を検討した。
【０００９】
横幅が約２００ｍｍの「ポリ袋」の開口周は約４００ｍｍである。保持具の切れ込みを利用して袋を固定する方式では、一つの切れ込みで袋を止めるために約３０ｍｍが必要であり、４ヶ所で止めるためには合計約１２０ｍｍが必要であった。従って、ごみを入れるために残された開口寸法は約２８０ｍｍになる。このごみを入れるための開口寸法を、円形の開口とするとその直径は約８９ｍｍになる。一方、約４００ｍｍの開口周を円形にするとその直径は約１２７ｍｍになる。そこでごみを入れるための開口寸法を約９０ｍｍとして、袋を止めるために必要な４カ所の切れ込みの深さを約１５ｍｍ、余白を約１０ｍｍとして加えた合計約２５ｍｍを開口部の対角線上に２カ所とると、円形の袋保持具の最小直径は約１４０ｍｍになる。
【００１０】
そこで、外周が円形で直径が約１４０ｍｍの袋保持具を試作した。第一試作では開口部を直径が約９０ｍｍの円形にした。ポリ袋をはめ込むために深さ約１５ｍｍで幅が約１ｍｍの切れ込み３を４カ所設けた。この第一試作に横幅約２００ｍｍの「ポリ袋」を取り付けてみたところ、ごみ袋になる「ポリ袋」と円形の開口部の間に隙間ができてしまった。この隙間はごみ入れとしては好ましくないので、つぎに開口部を直径が約８０ｍｍの円形状の開口部にしたが結果は同じであった。さらに、狭くして直径を約７０ｍｍの円形開口にしたところ隙間はなくなったが、これではごみを入れるための袋の開口は小さくなりすぎてごみを入れにくかった。そこで、保持具の開口形状を色々と変えてテストしたところ、ごみを入れるための開口形状を正方形にすると「ポリ袋」と開口部の隙間をなくすことができ、しかも開口寸法を最大にすることができることが分かり、本発明を完成することができた。
【実施例１】
【００１１】
図１は本発明の袋保持具の第一実施例を示す説明図である。本発明の袋保持具の試作にあたっては、厚さ０・７ｍｍの硬質ポリプロピレン製の平板を使用した。本体１の形状は円形とし直径を約１４０ｍｍにした。その中央部に図１に示すような一辺が約７０ｍｍの正方形の開口部２を設けた。開口部の一辺が約７０ｍｍの正方形にすると、その対角線の長さは約１００ｍｍとなる。開口部２の対角線上に深さ約１５ｍｍで幅が約１ｍｍの切れ込み３を２個設けた。対角線上に二つの切れ込みをつけると残された余白は計算上１カ所あたり約５ｍｍとなる。しかし、正方形の開口は正確に正方形にすることは製作上困難であり、四隅は角丸にせざるをえない。このことにより残された余白はさらに大きくなるので、ごみ袋を保持するのに十分な強度が得られた。実施例１の袋保持具はこのことにより外周が円形の約１４０ｍｍで、一辺が約７０ｍｍで四隅が半径約８ｍｍの角丸つきの正方形の開口部２を設け、本体１の上部中央には直径約８ｍｍのつり下げ用のフックを通すための穴４を設け、さらに下部中央には袋を閉じて仮止めするために、深さ約１０ｍｍで幅が約１ｍｍの切れ込みを持つ直径約８ｍｍの切れ込みつき小穴５を設けた。またフック用穴４の代わりに本体１に直接つり具を取り付けたり、下部中央に袋を閉じて仮止めするための切れ込みつき小穴５の代りに本体１の裏面に閉じ具を取り付けてもその効果は同じであった。
【００１２】
上記の保持具を使って生ごみなどを入れてみると開口は十分であり、切れ込みつき小穴５で仮止めすることにより、生ごみなどの臭いもかなり押さえることができた。本発明の袋保持具は直径１４０ｍｍという比較的小型なので台所などの狭いところでは、スペースもとらずに使用しやすかった。この袋保持具で使用できる「ポリ袋」の大きさには上限はないが、ごみの大きさや入れやすさを考えると横幅が約３４０ｍｍぐらいまでの袋に好ましく使えた。
【実施例２】
【００１３】
実施例２は実施例１よりさらに大きな袋保持具の例であり、実施例１と同じ厚さ０・７ｍｍの硬質ポリプロピレン製の平板で製作した。製作した本体１の形状は円形とし直径は約２３０ｍｍとした。中央部に一辺が約１４０ｍｍで半径約９ｍｍの角丸正方形の開口部２を設けた。本体１には袋をはめ込むために深さ約１５ｍｍ幅が約１ｍｍの切れ込み３を４カ所設けた。本体１上部の中央には直径約８ｍｍのつり下げ用のフックを通すための穴４を設けた。本体１下部中央には袋を閉じて仮止めするための深さ約１０ｍｍで幅が約１ｍｍの切れ込みをもつ直径約８ｍｍの切れ込みつき小穴５を設けた。この袋保持具は「ポリ袋」の横幅が約３６０ｍｍから約４６０ｍｍ位の袋に好ましく使えた。
【実施例３】
【００１４】
実施例３は実施例２よりさらに大きな袋保持具であり、袋の大きさなどに配慮して、硬質のポリプロピレン製の厚さ約１ｍｍの平板で製作した。本体１の直径は約３４０ｍｍの円形とし、中央部に一辺が約２１０ｍｍで半径約１０ｍｍの角丸正方形の開口部２を設けた。本体１の外周には、袋をはめこむための切れ込み３を４カ所設けたが、袋の大きさが大きくなるので袋の厚みを考えて、切れ込み３の深さは同じ約１５ｍｍにしたが、幅は約１．５ｍｍとした。本体１の上部中央には直径が約８ｍｍのつり下げ用のフックを通すための穴４を設け、本体１下部中央には袋を閉じて仮止めするための切れ込みつきの小穴５を設けた。袋の厚さを考慮して深さ約１０ｍｍで幅が約１・５ｍｍの切れ込みをもつ直径約１０ｍｍの切れ込みつき小穴５にした。この実施例３の袋保持具は横幅約４７０ｍｍの「ポリ袋」や、さらに大きなごみ袋に好ましく使えた。
【００１５】
本発明の袋保持具の使用例は図２に示した。図示のように使用中ごみ袋は、その重みで本体１が斜めになり、開口部２へのごみの投入が楽になる。
図３は、本発明の袋保持具で、ごみ袋７を仮止め用の切れ込みつき小穴５に挟んで、ごみ袋７を仮止めしたときの使用例である。この仮止めにより、生ごみを入れた場合でも、その臭いが出てくることを抑える事ができた。実施例１の袋保持具では約２kgの重さにたえられた。
【００１６】
実施例１，２，３において、フック用穴４の代わりに本体１に直接つり具を取り付けたり、下部中央に袋を閉じて仮止めするための切れ込みつき小穴５の代りに本体１の裏面に閉じ具を取り付けてもその使用上の効果は同じであった。
【００１７】
次ぎに本発明の袋保持具の使い方を順序だてて説明する。最初に本体１の中央に設けた開口部２の下よりごみ袋７をくぐらせて、ごみ袋７の口を広げる。広げたごみ袋７の４カ所を、４つの切れ込み３にはめ込んでごみ袋７を固定する。フック６を本体１上部中央のフック用穴４にはめ込むか、直接つり具で吊るして使用する。また、ごみ袋７の中味が出ないように袋を閉じるときは、ごみ袋７を本体１の前へ移動し、ごみ袋７の中ほどを切れ込みつき小穴５にはめ込むことで、ごみ袋７を仮止めできる。
【００１８】
なお、切れ込みつき小穴５を使わずにごみ袋７の中味が出ないように仮止めするために、本体１の裏面に袋を止めるための止め具を設けることによりごみ袋７を仮止めしてもよい。
【００１９】
本発明の袋保持具は、大きさ及び各部の寸法は実施例にこだわるものではない。開口部２は実施例のような正方形だけでなく長方形などにしてもよい。
また切れ込みの位置は対角線上に限らない。特に台所で使用する場合には水に濡れることも多いので、本体１の材料は、プラスチック製だけでなく金属特にステンレス板を使うことが望ましい。
【図面の簡単な説明】
【００２０】
【図１】本発明の袋保持具説明図
【図２】使用状態を示す斜視図
【図３】本発明ごみ袋を切れ込みつき小穴で仮閉じしている図
【符号の説明】
【００２１】
１  本体
２  開口部
３  切れ込み
４  フック用穴
５  切れ込みつき小穴
６  フック
７  ごみ袋
【図１】
2008001491.tif 000003
【図２】
2008001491.tif 000004
【図３】
2008001491.tif 000005